(57)【特許請求の範囲】
【請求項１】
上面に床パネルが敷設された横架材に正方形の断面形状を備える柱の脚部を接合して、横架材の上面から柱を立設させるための柱脚部接合構造であって、
前記床パネルの前記柱が立設する部位に形成された切欠き部において、前記横架材に対して前記柱を回転させることで、前記横架材に埋設された横架材側柱脚金物に、前記柱の下端面に取り付けられた柱側柱脚金物を係合することによって、前記柱の脚部を前記横架材の上面に接合するようになっており、
前記横架材側柱脚金物は、上端が前記横架材の上面に開口する円筒状部分を備えると共に、該円筒状部分には、開口縁部から軸方向に切り込まれた軸方向切欠き部と、該軸方向切欠き部から周方向に折れ曲がって切り込まれた周方向切欠き部とからなる、Ｌ字形状の係合切欠きが形成されており、
前記柱側柱脚金物は、前記横架材側柱脚金物の円筒状部分の開口縁部に当接する基盤部と、該基盤部の下方に一体として設けられた、前記横架材側柱脚金物の円筒状部分の内径と同様の外径を有し、前記軸方向切欠き部の前記周方向切欠き部までの高さと同様の高さを有する上部案内円盤部と、該上部案内円盤部の下方に一体として設けられた、前記係合切欠きの前記軸方向切欠き部の横幅と同様の横幅を有すると共に、前記周方向切欠き部の縦幅と同様の縦幅を有し、且つ前記上部案内円盤部の外周面よりも前記円筒状部分の肉厚分突出する係合凸部を備える中間係合部と、該中間係合部の下方に一体として設けられた、前記横架材側柱脚金物の円筒状部分の内径と同様の外径を有する下部案内円盤部とを含んで形成されており、
前記柱側柱脚金物の前記中間係合部の前記係合凸部を、前記横架材側柱脚金物の前記係合切欠きの前記軸方向切欠き部に沿って落とし込んだ後に、前記柱を回転させることで、前記係合凸部を、前記係合切欠きの前記周方向切欠き部に係合することによって、前記柱の脚部を前記横架材の上面に接合する柱脚部接合構造。
【請求項２】
前記Ｌ字形状の係合切欠きが、前記横架材側柱脚金物の円筒状部分の径方向に対向する位置に一対設けられており、前記中間係合部の前記係合凸部が、前記柱側柱脚金物の前記上部案内円盤部及び前記下部案内円盤部の径方向に対向する位置に一対設けられている請求項１記載の柱脚部接合構造。
【請求項３】
前記柱の下端面に、基盤部収納凹部が形成されており、前記柱側柱脚金物は、前記基盤部を該基盤部収納凹部に納めた状態で、前記柱の下端面に取り付けられている請求項１又は２記載の柱脚部接合構造。
【請求項４】
前記柱側柱脚金物の前記中間係合部の前記係合凸部を、前記横架材側柱脚金物の前記係合切欠きの前記軸方向切欠き部に沿って落とし込んだ後に、４５度に満たない角度で前記柱を回転させることで、前記周方向切欠き部に係合させることによって、正方形の断面形状を備える前記柱のいずれか一方の対向する辺部の方向が、前記横架材の軸方向に沿うように前記柱の脚部を前記横架材の上面に接合させる位置関係で、前記係合凸部及び前記係合切欠きが設けられている請求項１〜３のいずれか１項記載の柱脚部接合構造。
【発明の詳細な説明】
【技術分野】
【０００１】
本発明は、柱脚部接合構造に関し、特に、上面に床パネルが敷設された横架材に正方形の断面形状を備える柱の脚部を接合して、横架材の上面から柱を立設させるための柱脚部接合構造に関する。
【背景技術】
【０００２】
例えば木造の住宅建築物等の建物において、建物の骨組み構造を構成する土台、梁等の横架材から、柱を立設させた状態で固定するための柱脚部接合構造として、ホールダウン金物等の脚部接合金物を用いたものが知られているが、ホールダウン金物等の脚部接合金物は、柱の脚部の側面部に、当該側面部から外側に張り出した状態で配設されることから、例えば筋違いを取り付ける際の邪魔になったり、熱橋になったりするといった問題があるため、これに代わる接合構造として、例えば柱とアンカーボルトとを緊結する柱脚金具を、柱の脚部や土台に埋設するようにした柱脚部接合構造が開発されている（例えば、特許文献１参照）。
【０００３】
特許文献１の柱脚部接合構造では、柱脚金具は、土台に埋設されて、アンカーボルトと緊結される円筒形状の土台埋設部と、円柱状の係合部を底面部の下方に突出させて、柱の脚部に埋設されるホゾ部とが、別体として形成されており、基礎の上面に土台を設置した後に、柱の底面部から突出するホゾ部の係合部を、土台埋設部に嵌め込むことによって、柱を土台から立設させた状態で、ホゾ部の係合部に形成された連結孔と、土台埋設部に形成された連結孔とを合致させて、これらの連結孔にドリフトピン等の係止ピンを打ち込むことによって、アンカーボルトと柱とを緊結するようになっている。
【０００４】
また、特許文献１の柱脚部接合構造では、柱脚金具を構成する、柱の脚部に埋設されるホゾ部は、柱の側面からドリフトピン等の係止ピンを打ち込むことによって、柱の脚部に固定されることから、ドリフトピン等の係止ピンを打ち込むためのピン孔や、打ち込まれた係止ピンの端部が、柱の表面に表出することになる。このため、例えば和室において、柱の表面を室内に現した真壁造とする場合には、ドリフトピン等の係止ピンを打ち込むためのピン孔や、打ち込まれた係止ピンの端部が、柱の側面に視認可能に現れることによって、柱の外観や意匠性を損なうことになる。
【０００５】
これに対して、柱の底面部から上方に向けてねじ込まれるコーチスクリューを介して柱の脚部に固定された、締結金物を用いて形成される柱脚部接合構造も開発されている（例えば、特許文献２参照）。
【先行技術文献】
【特許文献】
【０００６】
【特許文献１】特許第３４８８８７０号公報
【特許文献２】特開２０１１−１３２７７８号公報
【発明の概要】
【発明が解決しようとする課題】
【０００７】
しかしながら、特許文献２に記載の締結金物を用いた柱脚部接合構造では、締結金物は、柱の底面部に沿って取り付けられるプレートに形成された係止孔に、コーチスクリューをねじ込むことによって、柱の側面からドリフトピン等を打ち込んで柱の外観や意匠性を損なうことなく、柱の底面部側から脚部に固定することが可能であるが、その一方で、柱を土台に締結する際に、土台の上面に開口する固定孔に差し込まれた締結金物の下部シャフトに向けて、ドリフトピン等の係止ピンを土台の側面側から打ち込む必要があることから、例えば作業用の足場を形成するために、土台の上面に床パネルを仮敷きした状態では、仮敷きした床パネルが邪魔になって、土台の側面側から係止ピンを打ち込んで、柱を土台に緊結する作業を行なうことが困難になる。
【０００８】
また、柱が立設する部分における、土台や梁等の横架材の側面や端面に、他の土台や梁の端面や、大引等の端面を、接合金物を用いて接合する場合には、接合金物は、ドリフトピン等の係止ピンが打ち込まれる打込み孔との取り合いの関係で、プレカット工場等において予め横架材に取り付けておくことが難しいため、施工現場において、床パネルを仮敷きするのに先立って、接合金物を横架材に取り付ける必要を生じて、土台や梁等の他の横架材の端面を接合する作業を、効率良く行うことが困難になる。
【０００９】
本発明は、横架材の上面に床パネルを仮敷きした状態でも、横架材や柱の脚部に取り付けられた緊結用の柱脚金物を用いて、柱を、横架材の上面から立設させた状態で容易に接合することができると共に、柱が立設する部分における横架材の側面や端面に、他の横架材の端面を接合する場合でも、接合する作業を効率の良く行うことのできる柱脚部接合構造を提供することを目的とする。
【課題を解決するための手段】
【００１０】
本発明は、上面に床パネルが敷設された横架材に正方形の断面形状を備える柱の脚部を接合して、横架材の上面から柱を立設させるための柱脚部接合構造であって、前記床パネルの前記柱が立設する部位に形成された切欠き部において、前記横架材に対して前記柱を回転させることで、前記横架材に埋設された横架材側柱脚金物に、前記柱の下端面に取り付けられた柱側柱脚金物を係合することによって、前記柱の脚部を前記横架材の上面に接合するようになっており、前記横架材側柱脚金物は、上端が前記横架材の上面に開口する円筒状部分を備えると共に、該円筒状部分には、開口縁部から軸方向に切り込まれた軸方向切欠き部と、該軸方向切欠き部から周方向に折れ曲がって切り込まれた周方向切欠き部とからなる、Ｌ字形状の係合切欠きが形成されており、前記柱側柱脚金物は、前記横架材側柱脚金物の円筒状部分の開口縁部に当接する基盤部と、該基盤部の下方に一体として設けられた、前記横架材側柱脚金物の円筒状部分の内径と同様の外径を有し、前記軸方向切欠き部の前記周方向切欠き部までの高さと同様の高さを有する上部案内円盤部と、該上部案内円盤部の下方に一体として設けられた、前記係合切欠きの前記軸方向切欠き部の横幅と同様の横幅を有すると共に、前記周方向切欠き部の縦幅と同様の縦幅を有し、且つ前記上部案内円盤部の外周面よりも前記円筒状部分の肉厚分突出する係合凸部を備える中間係合部と、該中間係合部の下方に一体として設けられた、前記横架材側柱脚金物の円筒状部分の内径と同様の外径を有する下部案内円盤部とを含んで形成されており、前記柱側柱脚金物の前記中間係合部の前記係合凸部を、前記横架材側柱脚金物の前記係合切欠きの前記軸方向切欠き部に沿って落とし込んだ後に、前記柱を回転させることで、前記係合凸部を、前記係合切欠きの前記周方向切欠き部に係合することによって、前記柱の脚部を前記横架材の上面に接合する柱脚部接合構造を提供することにより、上記目的を達成したものである。
【００１１】
そして、本発明の柱脚部接合構造は、前記Ｌ字形状の係合切欠きが、前記横架材側柱脚金物の円筒状部分の径方向に対向する位置に一対設けられており、前記中間係合部の前記係合凸部が、前記柱側柱脚金物の前記上部案内円盤部及び前記下部案内円盤部の径方向に対向する位置に一対設けられていることが好ましい。
【００１２】
また、本発明の柱脚部接合構造は、前記柱の下端面に、基盤部収納凹部が形成されており、前記柱側柱脚金物は、前記基盤部を該基盤部収納凹部に納めた状態で、前記柱の下端面に取り付けられていることが好ましい。
【００１３】
さらに、本発明の柱脚部接合構造は、前記柱側柱脚金物の前記中間係合部の前記係合凸部を、前記横架材側柱脚金物の前記係合切欠きの前記軸方向切欠き部に沿って落とし込んだ後に、４５度に満たない角度で前記柱を回転させることで、前記周方向切欠き部に係合させることによって、正方形の断面形状を備える前記柱のいずれか一方の対向する辺部の方向が、前記横架材の軸方向に沿うように前記柱の脚部を前記横架材の上面に接合させる位置関係で、前記係合凸部及び前記係合切欠きが設けられていることが好ましい。
【発明の効果】
【００１４】
本発明の柱脚部接合構造によれば、横架材の上面に床パネルを仮敷きした状態でも、横架材や柱の脚部に取り付けられた緊結用の柱脚金物を用いて、柱を、横架材の上面から立設させた状態で容易に接合することができると共に、柱が立設する部分における横架材の側面や端面に、他の横架材の端面を接合する場合でも、接合する作業を効率の良く行うことができる。
【図面の簡単な説明】
【００１５】
【図１】（ａ）〜（ｃ）は、本発明の好ましい一実施形態に係る柱脚部接合構造を説明する、部分透視略示斜視図である。
【図２】図１（ｂ）のＢ−Ｂに沿った部分透視略示断面図である。
【図３】図１（ａ）をＡ方向から見た略示断面図である。
【図４】横架材に埋設された横架材側柱脚金物、及び柱の下端面に取り付けられた柱側柱脚金物を説明する、床パネルを省略した状態で示す部分透視略示斜視図である。
【図５】（ａ）〜（ｃ）は、柱側柱脚金物の係合凸部を、横架材側柱脚金物の係合切欠きに係合する状況を説明する斜視図である。
【図６】柱側接合金物を説明する、（ａ）は上面図、（ｂ）は側面図、（ｃ）は下面図、（ｄ）は（ｂ）を左側から見た側面図である。
【発明を実施するための形態】
【００１６】
本発明の好ましい一実施形態に係る柱脚部接合構造１０は、図１（ａ）〜（ｃ）に示すように、建物として例えば木造の住宅建築物において、建物の骨組み構造を形成する横架材２１である梁の上面２１ａから立設させた状態で、柱１１を、梁２１に固定するための構造として採用されたものである。本実施形態の柱脚部接合構造１０は、横架材である梁２１に埋設された横架材側柱脚金物２２に、柱１１の下端面１１ａに取り付けられた柱側柱脚金物１２を、仮敷きされた床パネル３０ａ，３０ｂを足場とした安定した簡易な作業によって係合することで、柱１１の脚部１１ｂを梁２１の上面２１ａに容易に接合できるようになっている。また、本実施形態の柱脚部接合構造１０では、施工現場において、横架材である梁２１の側面にドリフトピン等の固定ピンを打ち込む必要がなくなるので、柱１１が立設する部分の横架材２１の側面や端面に、他の横架材の端面を接合する場合でも、これらの端面を接合するための接合金物（図示せず）を、プレカット工場等において予め取り付けておくことができるようになっている。
【００１７】
そして、本実施形態の柱脚部接合構造１０は、図１（ａ）〜（ｃ）に示すように、上面に床パネル３０ａが敷設された梁２１に正方形の断面形状を備える柱１１の脚部１１ｂを接合して、梁２１の上面２１ａから柱１１を立設させるための接合構造であって、床パネル（上段床パネル）３０ａの柱１１が立設する部位に形成された切欠き部３１において、梁２１に対して柱１１を回転させることで、梁２１に埋設された横架材側柱脚金物２２に、柱１１の下端面１１ａに取り付けられた柱側柱脚金物１２を係合することによって、柱１１の脚部１１ｂを横架材２１の上面２１ａに接合するようになっている。
【００１８】
横架材側柱脚金物２２は、図４及び図５（ａ）〜（ｃ）にも示すように、上端が梁２１の上面２１ａに開口する円筒状部分２２ａを備えると共に、この円筒状部分２２ａには、開口縁部から軸方向に切り込まれた軸方向切欠き部２３ａと、この軸方向切欠き部２３ａから周方向に折れ曲がって切り込まれた周方向切欠き部２３ｂとからなる、Ｌ字形状の係合切欠き２３が形成されている。  柱側柱脚金物１２は、横架材側柱脚金物２２の円筒状部分２２ａの開口縁部に当接する基盤部１２ａと、この基盤部１２ａの下方に一体として設けられた、横架材側柱脚金物２２の円筒状部分２２ａの内径と同様の外径を有し、軸方向切欠き部２３ａの周方向切欠き２３ｂまでの高さｈと同様の高さを有する上部案内円盤部１２ｂと、この上部案内円盤部１２ｂの下方に一体として設けられた、係合切欠き２３の軸方向切欠き部２３ａの横幅ｂ1と同様の横幅を有すると共に、周方向切欠き部２３ｂの縦幅ｂ2と同様の縦幅を有し、且つ上部案内円盤部１２ｂの外周面よりも円筒状部分２２ａの肉厚分突出する係合凸部１２ｄを備える中間係合部１２ｃと、この中間係合部１２ｃの下方に一体として設けられた、横架材側柱脚金物２２の円筒状部分２２ａの内径と同様の外径を有する下部案内円盤部１２ｅとを含んで形成されている。
【００１９】
柱側柱脚金物１２の中間係合部１２ｃの係合凸部１２ｄを、横架材側柱脚金物２２の係合切欠き２３の軸方向切欠き部２３ａに沿って落とし込んだ後に（図５（ｂ）、図１（ｂ）参照）、柱１１を回転させることで、係合凸部１２ｄを、係合切欠き２３の周方向切欠き部２３ｂに係合することによって（図５（ｃ）、図１（ｃ）参照）、柱１１の脚部１１ｂを梁２１の上面２１ａに接合するようになっている。
【００２０】
また、本実施形態では、Ｌ字形状の係合切欠き２３が、横架材側柱脚金物２２の円筒状部分２２ａの径方向に対向する位置に一対設けられており（図４、図５（ａ）参照）、中間係合部１２ｃの係合凸部１２ｄが、柱側柱脚金物１２の上部案内円盤部１２ｂ及び下部案内円盤部１２ｅの径方向に対向する位置に一対設けられている（図６（ｂ）〜（ｄ）参照）。
【００２１】
本実施形態では、横架材２１である梁は、図１（ａ）〜（ｃ）、及び図３に示すように、例えば縦横１０５ｍｍ×１０５ｍｍの断面形状を備える木製の角材からなる。梁２１には、柱１１が立設する部位を挟んだ一方の側面に添設されて、例えば縦横６０ｍｍ×４５ｍｍの断面形状を備える木製の角材からなる補助パネル受材３２が、上面３２ａを梁２１の上面２１ａと面一に配置した状態で、取り付けられている。また梁２１の他方の側面に添設されて、例えば縦横６０ｍｍ×４５ｍｍの断面形状を備える木製の角材からなるパネル受材３３が、上面３３ａを梁２１の上面２１ａから一段下がった位置に配置した状態で、取り付けられている。
【００２２】
また、本実施形態では、梁２１に側縁部を支持せて、上段床パネル３０ａと下段床パネル３０ｂとが敷設されている。上段床パネル３０ａは、例えば２４ｍｍ程度の厚さを有する公知のパネル部材からなり、図２にも示すように、側縁部を梁２１の上面２１ａの幅方向の中心線まで延設させた状態で、取り付けられている。梁２１の上面２１ａにおける柱１１の取り付け部位に、重ねて配置される部分の上段床パネル３０ａの側縁部には、矩形形状の切欠き部３１が、補助パネル受材３２の上面３２ａまで跨るようにして、切り欠き形成されている。切欠き部３１は、梁２１の軸方向に沿った長辺部が、柱１１の正方形の断面形状の対角線の長さよりも小さな、例えば１４８ｍｍ程度の長さを有すると共に、梁２１の軸方向と垂直な方向に沿った短辺部が、柱１１の正方形の断面形状の対角線の１／２の長さよりも小さな、例えば７４ｍｍ程度の長さを有する矩形形状となるように切り欠き形成されている。
【００２３】
下段床パネル３０ｂは、上段床パネル３０ａと同様に、例えば２４ｍｍ程度の厚さを有する公知のパネル部材からなる。下段床パネル３０ｂは、梁２１の上面２１ａから一段下がった位置に配置されて梁２１の他方の側面に添設された、パネル受材３３の上面３３ａに、側縁部を載置した状態で取り付けられている。これによって、本実施形態では、下段床パネル３０ｂは、上段床パネル３０ａよりも一段下がった高さ位置に敷設されている。
【００２４】
そして、本実施形態では、梁２１の上面２１ａにおいて上段床パネル３０ａの切欠き部３１が配置される部位である、柱１１が立設する部位に、好ましくは金属製の横架材側柱脚金物２２が、円筒状部分２２ａの上端を梁２１の上面２１ａに開口させた状態で、埋設固定されている。横架材側柱脚金物２２は、本実施形態では、図４及び図５（ａ）〜（ｃ）に示すように、その全体が、例えば３．２ｍｍ程度の肉厚を備えると共に、２７．６ｍｍ程度の内径を有する、円筒状部分２２ａとなっている。また横架材側柱脚金物２２は、例えば９０ｍｍ程度の長さを有している。横架材側柱脚金物２２は、梁２１の上面２１ａから垂直下方に向けて穿孔形成された、円筒状部分２２ａの外径と同様の内径を備える固定孔（図示せず）に嵌着されると共に、例えば周面に形成された貫通孔２２ｂに向けて、梁２１の側面に形成された打込み孔（図示せず）を介してドリフトピン３４（図４参照）を打ち込むことによって、プレカット工場等において、円筒状部分２２ａの上端の開口縁部を梁２１の上面２１ａに面一に配置した状態で、予め梁２１に埋設固定されている。横架材側柱脚金物２２は、円筒状部分２２ａの中心軸を、梁２１の上面２１ａの幅方向中心線上であって、上段床パネル３０ａに形成された切欠き部３１の、長辺部開口辺の中央に配置した状態で、埋設固定されている。
【００２５】
本実施形態では、横架材側柱脚金物２２には、Ｌ字形状の係合切欠き２３が、円筒状部分２２ａの径方向に対向する位置に配置されて、一対設けられている。各々の係合切欠き２３は、円筒状部分２２ａの上端の開口縁部から下方に向けて軸方向に切り込まれた、例えば９ｍｍ程度の横幅ｂ1を有する軸方向切欠き部２３ａと、この軸方向切欠き部２３ａの下半部分から周方向に折れ曲がって切り込まれた、例えば１２ｍｍ程度の縦幅ｂ2を有する周方向切欠き部２３ｂとを含んで形成されている。また軸方向切欠き部２３ａは、円筒状部分２２ａの上端の開口縁部から、周方向切欠き２３ｂまでの高さｈが、例えば１４ｍｍ程度となるように形成されている。周方向切欠き部２３ｂは、後述する柱側柱脚金物１２の中間係合部１２ｃの係合凸部１２ｄを、係合切欠き２３の軸方向切欠き部２３ａに沿って落とし込んだ後に、４５度に満たない角度として、例えば３０度の角度で柱１１を回転させることが可能なように、周方向に延設して形成されている。
【００２６】
本実施形態では、柱１１は、図１（ａ）〜（ｃ）に示すように、例えば１０５ｍｍ×１０５ｍｍの木製の角材からなる。柱１１の下端部である脚部１１ｂの下端面１１ａには、これの中央部分に、後述する柱側柱脚金物１２の基盤部１２ａを納めることが可能な大きさの、基盤部１２ａの外周形状と同様の内周形状を備える基盤部収納凹部（図示せず）が形成されている。柱側柱脚金物１２は、本実施形態では、この基盤部収納凹部に、基盤部１２ａを、好ましくは当該基盤部１２ａの下面を柱３３の脚部３３ａの下端面と面一になるように下端面に臨ませて納めた状態で、柱１１の下端面１１ａに取り付けられている。
【００２７】
柱側柱脚金物１２は、柱１１の下端面１１ａに取り付けて用いられる好ましくは金属製の金物であって、図５（ａ）〜（ｃ）及び図６（ａ）〜（ｃ）に示すように、基盤部１２ａと、基盤部１２ａの下方に一体として設けられた上部案内円盤部１２ｂと、上部案内円盤部１２ｂの下方に一体として設けられた係合凸部１２ｄを備える中間係合部１２ｃと、中間係合部１２ｃの下方に一体として設けられた下部案内円盤部１２ｅとを含んで形成されている。
【００２８】
基盤部１２ａは、本実施形態では、例えば５２ｍｍ程度の直径を有すると共に、例えば９ｍｍ程度の厚さを有する円盤形状の部分である。基盤部１２ａには、中央部を挟んだ径方向の両側に、固定部材１４として好ましくは長ビス（皿ウッドスクリュー）を、下面側から柱１１の下端面１１ａに向けてねじ込むための（図１（ａ）〜（ｃ）参照）、一対の締着孔１３が貫通形成されている。締着孔１３には、基盤部１２ａの下面側に、長ビス１４の頭部を基盤部１２ａの下面から突出させることなく納めるための、テーパー状の座堀部１３ａ（図６（ｂ）参照）が形成されている。基盤部１２ａを、柱１１の下端面１１ａに形成された基盤部収納凹部に納めた状態で、長ビス１４を、締着孔１３を介して柱１１の下端面１１ａに向けてねじ込んで、長ビス１４の頭部を基盤部１２ａの下面に締着させることで、柱側柱脚金物１２を、柱１１の下端面１１ａに強固に且つ安定した状態で取り付けることが可能になる。
【００２９】
上部案内円盤部１２ｂは、基盤部１２ａと同心状に配置されて、基盤部１２ａの下方に一体として設けられた、円盤形状を有する部分である。上部案内円盤部１２ｂは、横架材側柱脚金物２２の円筒状部分２２ａの内径と同様の、基盤部１２ａの直径よりも小さな例えば２７．２ｍｍ程度の外径を有している。また上部案内円盤部１２ｂは、横架材側柱脚金物２２に形成された係合切欠き２３の軸方向切欠き部２３ａの、周方向切欠き２３ｂまでの高さｈ（例えば１４ｍｍ程度）とほぼ同様の高さ（厚さ）として、例えば１５ｍｍ程度の高さ（厚さ）を有している。
【００３０】
中間係合部１２ｃは、上部案内円盤部１２ｂの直径方向に横断するように延設して配置されて、上部案内円盤部１２ｂの下方に一体として設けられた、細長い直方体形状を有する部分である。中間係合部１２ｃは、係合切欠き２３の軸方向切欠き部２３ａの横幅ｂ1と同様の横幅として、例えば９ｍｍ程度の横幅を有すると共に、係合凸部１２ｄの部分を除き、周方向切欠き部２３ｂの縦幅ｂ2（例えば１２ｍｍ程度）とほぼ同様の縦幅として、例えば１２ｍｍ程度の縦幅を有する、矩形の断面形状を備えている。また中間係合部１２ｃは、上部案内円盤部１２ｂの直径の長さに、横架材側柱脚金物２２の円筒状部分２２ａの肉厚の２倍を加えた、例えば３３ｍｍ程度の長さを有するように形成されている。これによって、中間係合部１２ｃの両側の端部には、係合切欠き２３の軸方向切欠き部２３ａの横幅ｂ1と同様の、例えば９ｍｍ程度の横幅を有すると共に、周方向切欠き部２３ｂの縦幅ｂ2とほぼ同様か、もしくは縦幅ｂ2より若干小さい、例えば１０ｍｍ程度の縦幅を有し、且つ上部案内円盤部１２ｂの外周面よりも、円筒状部分２２ａの肉厚分として例えば２．９ｍｍ程度外側に突出する係合凸部１２ｄが、上部案内円盤部１２ｂ及び下部案内円盤部１２ｅの径方向に対向する位置に、一対設けられることになる。係合凸部１２ｄの外周面は、横架材側柱脚金物２２の円筒状部分２２ａの外周面と同様の曲率半径で湾曲する、湾曲面となっている。
【００３１】
下部案内円盤部１２ｅは、基盤部１２ａ及び上部案内円盤部１２ｂと同心状に配置されて、中間係合部１２ｃの下方に一体として設けられた、円盤形状を有する部分である。下部案内円盤部１２ｅは、横架材側柱脚金物２２の円筒状部分２２ａの内径と同様の、例えば２７．２ｍｍ程度の外径を有していると共に、例えば１０ｍｍ程度の高さ（厚さ）を有している。下部案内円盤部１２ｅの下端部の外周角部分は、テーパー形状に面取りされており、これによって柱側柱脚金物１２を、横架材側柱脚金物２２に、円筒状部分２２ａの上端の開口を介して挿入し易くなっている。
【００３２】
中間係合部１２ｃを挟んで上下に設けられた、上部案内円盤部１２ｂ及び下部案内円盤部１２ｅが、いずれも横架材側柱脚金物２２の円筒状部分２２ａの内径と同様の外径を有していることにより、中間係合部１２ｃの係合凸部１２ｄを、軸方向切欠き部２３ａ及び周方向切欠き部２３ｂからなるＬ字形状の係合切欠き２３に沿って、より安定した状態で移動させて行くことが可能になる。
【００３３】
そして、本実施形態では、図１（ａ）〜（ｃ）に示すように、床パネル（上段床パネル）３０ａの柱１１が立設する部位に形成された切欠き部３１において、柱１１の下端面１１ａに取り付けられた柱側柱脚金物１２の中間係合部１２ｃの係合凸部１２ｄを、上部案内円盤部１２ｂ及び下部案内円盤部１２ｅによって安定させながら、横架材２１に埋設された横架材側柱脚金物２２の係合切欠き２３の軸方向切欠き部２３ａに沿って落とし込んだ後に、梁２１に対して柱１１を回転させることで、梁２１に埋設された横架材側柱脚金物２２に、柱１１の下端面１１ａに取り付けられた柱側柱脚金物１２を係合することによって、柱１１の脚部１１ｂを、横架材２１の上面２１ａに、仮敷きされた床パネル３０ａ，３０ｂを足場とした安定した簡易な作業によって、容易に接合できるようになっている。
【００３４】
ここで、本実施形態では、上述のように、横架材側柱脚金物２２の係合切欠き２３の周方向切欠き部２３ｂは、柱側柱脚金物１２の中間係合部１２ｃの係合凸部１２ｄを、係合切欠き２３の軸方向切欠き部２３ａに沿って落とし込んだ後に、４５度に満たない角度として、例えば３０度の角度で柱１１を回転させることが可能なように、周方向に延設して形成されている。また、柱側柱脚金物１２の係合凸部１２ｄ及び横架材側柱脚金物２２の係合切欠き２３は、柱側柱脚金物１２の係合凸部１２ｄを、横架材側柱脚金物２２の係合切欠き２３の軸方向切欠き部２３ａに沿って落とし込んだ後に、４５度に満たない角度として、例えば３０度の角度で柱１１を回転させることで、周方向切欠き部２３ｂに係合させることによって、正方形の断面形状を備える柱１１のいずれか一方の対向する辺部の方向が、横架材２１の軸方向に沿うように柱１１の脚部１１ｂを横架材２１の上面に接合させる位置関係で、設けられている。
【００３５】
これによって、本実施形態では、上段床パネル３０ａの柱１１が立設する部位に形成された切欠き部３１は、上述のように、梁２１の軸方向に沿った長辺部が、柱１１の正方形の断面形状の対角線の長さよりも小さな、例えば１４８ｍｍ程度の長さを有すると共に、梁２１の軸方向と垂直な方向に沿った短辺部が、柱１１の正方形の断面形状の対角線の１／２の長さよりも小さな、例えば７４ｍｍ程度の長さを有する矩形形状となるように切り欠き形成されていて、切欠き部３１の内側で、柱１１を、４５度よりも小さな例えば３０度でしか回転させることができない場合でも、柱１１を３０度回転させることで、柱側柱脚金物１２を横架材側柱脚金物２２に確実に係合させて、正方形の断面形状を備える柱１１のいずれか一方の対向する辺部の方向が、横架材２１の軸方向に沿うように、柱１１の脚部１１ｂを横架材２１の上面に容易に接合させることが可能になる。
【００３６】
またこれによって、正方形の断面形状を有する柱１１を、４５度以上、すなわち３６０度回転可能な大きさに切欠き部を形成した場合と比較して、切欠き部３１が大きくなるのを抑制することが可能になる。またこれによって、３６０度回転可能な大きさに切欠き部を形成した場合と比較して、柱１１のいずれか一方の対向する辺部の方向が、横架材２１の軸方向に沿うように柱１１の脚部１１ｂを横架材２１の上面に接合させた際に、柱１１の脚部１１ｂの外周面と、切欠き部３１の内周縁部との間に生じる隙間の幅を小さく留めて、床の仕上げ作業を行なう際の労力を、効果的に低減することが可能になる。
【００３７】
横架材側柱脚金物２２の係合切欠き２３の周方向切欠き部２３ｂは、柱側柱脚金物１２の中間係合部１２ｃの係合凸部１２ｄを、係合切欠き２３の軸方向切欠き部２３ａに沿って落とし込んだ後に、４５度に満たない角度として、例えば２０〜４０度の角度で柱１１を回転させることが可能なように、周方向に延設して形成されていることが好ましい。また、柱側柱脚金物１２の係合凸部１２ｄ及び横架材側柱脚金物２２の係合切欠き２３は、柱側柱脚金物１２の係合凸部１２ｄを、横架材側柱脚金物２２の係合切欠き２３の軸方向切欠き部２３ａに沿って落とし込んだ後に、４５度に満たない角度として、例えば２０〜４０度の角度で柱１１を回転させることで、周方向切欠き部２３ｂに係合させることによって、正方形の断面形状を備える柱１１のいずれか一方の対向する辺部の方向が、横架材２１の軸方向に沿うように柱１１の脚部１１ｂを横架材２１の上面に接合させる位置関係で、設けられていることが好ましい。
【００３８】
そして、上述の構成を備える本実施形態の柱脚部接合構造１０によれば、横架材２１の上面に床パネル３０ａを仮敷きした状態でも、横架材２１や柱１１の脚部１１ｂに取り付けられた緊結用の柱脚金物２２，１２を用いて、柱１１を、横架材２１の上面２１ａから立設させた状態で容易に接合することが可能になると共に、柱１１が立設する部分における横架材２１の側面や端面に、他の横架材の端面を接合する場合でも、接合する作業を効率の良く行うことが可能になる。
【００３９】
すなわち、本実施形態によれば、横架材２１の上面２１ａに埋設された横架材側柱脚金物２２は、開口縁部から切り込まれたＬ字形状の係合切欠き２３が形成された円筒状部分２２ａを有しており、柱１１の下端面１１ａに取り付けられた柱側柱脚金物１２は、上部案内円盤部１２ｂと下部案内円盤部１２ｅとの間に挟まれて、円筒状部分２２ａの肉厚分突出する係合凸部１２ｄを備える中間係合部１２ｃを有しており、柱側柱脚金物１２の係合凸部１２ｄを、横架材側柱脚金物２２の係合切欠き２３の軸方向切欠き部２３ａに沿って落とし込んだ後に、梁２１に対して柱１１を回転させることで、横架材側柱脚金物２２に柱側柱脚金物１２を係合することによって、柱１１の脚部１１ｂを、横架材２１の上面２１ａに接合できるようになっている。
【００４０】
これによって、本実施形態によれば、施工現場において、横架材である梁２１の側面にドリフトピン等の固定ピンを打ち込む必要がなくなるので、横架材２１の上面に床パネル３０ａを仮敷きした状態でも、柱１１を、横架材２１の上面２１ａから立設させた状態で容易に接合することが可能になると共に、柱１１が立設する部分の横架材２１の側面や端面に、他の横架材の端面を接合する場合でも、これらの端面を接合するための接合金物（図示せず）を、プレカット工場等において予め取り付けておくことが可能になって、これらの端面を接合する作業を、施工現場において効率良く行うことが可能になる。
【００４１】
なお、本発明は上記実施形態に限定されることなく種々の変更が可能である。例えば、Ｌ字形状の係合切欠きや、中間係合部の係合凸部は、横架材側柱脚金物や柱側柱脚金物の径方向に対向する位置に一対設けられている必要は必ずしも無く、１箇所のみ、またが周方向に間隔をおいて３箇所以上設けることもできる。柱側柱脚金物は、柱の下端面に形成された基盤部収納凹部に、基盤部を納めた状態で取り付けられている必要は必ずしもなく、柱の平坦な下端面に取り付けられていても良い。横架材の上面に敷設される床パネルは、横架材の軸方向中心線を挟んだ片側にのみ敷設されている必要は必ずしも無く、横架材の上面の全体を覆うようにして敷設されていても良い。床パネルの柱が立設する部位に形成された切欠き部は、例えば正方形にとなるように切り欠かれていても良い。
【符号の説明】
【００４２】
１０  柱脚部接合構造
１１  柱
１１ａ  下端面
１１ｂ  脚部
１２  柱側柱脚金物
１２ａ  基盤部
１２ｂ  上部案内円盤部
１２ｃ  中間係合部
１２ｄ  係合凸部
１２ｅ  下部案内円盤部
１３  締着孔
１３ａ  座堀部
１４  固定部材（長ビス）
２１  横架材（梁）
２１ａ  上面
２２  横架材側柱脚金物
２２ａ  円筒状部分
２２ｂ  貫通孔
２３  係合切欠き
２３ａ  軸方向切欠き部
２３ｂ  周方向切欠き部
３０ａ  上段床パネル
３０ｂ  下段床パネル
３１  切欠き部
３２  補助パネル受材
３３  パネル受材
３４  ドリフトピン
【図１】
0006342850.tif 000002
【図２】
0006342850.tif 000003
【図３】
0006342850.tif 000004
【図４】
0006342850.tif 000005
【図５】
0006342850.tif 000006
【図６】
0006342850.tif 000007